(57)【要約】【課題】店舗にあまり負担をかけずに画像付きのメッセージカードを作成することのできる画像付きメッセージ作成システムを提供すること。【解決手段】ネットワーク１１１に接続されたパーソナルコンピュータ等のユーザ端末１０１と、店舗に設置され、ネットワーク１１１に接続されたパーソナルコンピュータ等の店舗端末１０７と、ユーザ端末１０１から送信されたメッセージおよび画像からメッセージカードを作成する、画像データベース（画像ＤＢ）１０５を有したメッセージカード作成サーバ１０３とを備え、メッセージカード作成サーバ１０３で作成されたメッセージカードは店舗端末１０７に接続されたプリンタからプリントアウトされ、贈り物と共に配送される。【選択図】　　図１
2004038303.tif 000002
【特許請求の範囲】
【請求項１】
ユーザによって商品が特定され、メッセージカードを添えて前記商品を配送するよう前記ユーザが望む場合、前記ユーザが所望のメッセージカードを作成して、前記商品を配送する店舗に前記メッセージカードのデータを送信する画像付きメッセージ作成システムであって、
ネットワークを介してユーザ端末から送信されたメッセージおよび画像を素材として、所定のテンプレートで画像付きメッセージカードを作成し、前記画像付きメッセージカードのデータを前記ネットワークに接続された前記店舗の店舗端末に送信するメッセージカード作成サーバを備えたことを特徴とする画像付きメッセージ作成システム。
【請求項２】
前記メッセージカード作成サーバは、
前記商品の画像を含む画像付きメッセージカードを作成することを特徴とする請求項１記載の画像付きメッセージ作成システム。
【請求項３】
前記店舗端末にはプリンタが接続され、
前記プリンタは、前記メッセージカード作成サーバから前記店舗端末に送信されたメッセージカードのデータに基づいて、メッセージカードをプリントアウトすることを特徴とする請求項１または２記載の画像付きメッセージ作成システム。
【発明の詳細な説明】
【０００１】
【発明の属する技術分野】
本発明は、店舗にあまり負担をかけずに画像付きのメッセージカードを作成することのできる画像付きメッセージ作成システムに関する。
【０００２】
【従来の技術】
花や食品、嗜好品等を贈り物として贈る際にメッセージカード等を添えると、贈り主は単に贈り物を贈るだけよりも真心込めて気持ちを伝えることができる。したがって、贈り主がメッセージカードを贈り物と共に包装して相手に贈ったり、また、贈り物が店舗等から配送する場合には、贈り主が店舗にメッセージを伝え、店舗が作成した当該メッセージの記入されたカードを贈り物に添えて配送するといった方法をとっていた。さらに、特開２０００−１２２５４７号公報に開示されているように、デジタルカメラで撮影した写真を活用して独自のパッケージとした贈り物を贈るという方法もとられている。
【０００３】
【発明が解決しようとする課題】
しかしながら、メッセージカードを贈り主自らが作成せずに、その内容（メッセージや写真等）を店舗等に伝えてカードの作成は任せるといった形態では、店舗がメッセージカードの作成を行わなければならない。特に、画像付きのメッセージカードを作成するには、画像のサイズやレイアウト等を変更したりその他さまざまな処理を行う必要があるため、メッセージカードの作成を本業としない店舗にとっては負担が大きくなってしまい、店舗に酷であるという問題点があった。
【０００４】
本発明は、上記従来の問題点に鑑みてなされたものであって、店舗にあまり負担をかけずに画像付きのメッセージカードを作成することのできる画像付きメッセージ作成システムを提供することを目的としている。
【０００５】
【課題を解決するための手段】
上記目的を達成するために、本発明に係る画像付きメッセージ作成システムは、ユーザによって商品が特定され、メッセージカードを添えて前記商品を配送するよう前記ユーザが望む場合、前記ユーザが所望のメッセージカードを作成して、前記商品を配送する店舗に前記メッセージカードのデータを送信する画像付きメッセージ作成システムであって、ネットワークを介してユーザ端末から送信されたメッセージおよび画像を素材として、所定のテンプレートで画像付きメッセージカードを作成し、前記画像付きメッセージカードのデータを前記ネットワークに接続された前記店舗の店舗端末に送信するメッセージカード作成サーバを備えている。
【０００６】
また、本発明に係る画像付きメッセージ作成システムは、前記メッセージカード作成サーバは、前記商品の画像を含む画像付きメッセージカードを作成する。
【０００７】
さらに、本発明に係る画像付きメッセージ作成システムは、前記店舗端末にはプリンタが接続され、前記プリンタは、前記メッセージカード作成サーバから前記店舗端末に送信されたメッセージカードのデータに基づいて、メッセージカードをプリントアウトする。
【０００８】
このように、ユーザがメッセージカード作成サーバにメッセージと画像を送信すれば、メッセージおよび画像、さらには商品の画像を含むメッセージカードが作成された後、当該メッセージカードのデータが店舗端末に送信されるため、店舗側はこれをプリントアウトして商品に添えて配送するだけで良い。したがって、店舗側でメッセージカードを作成する必要がないため、画像付きメッセージを添えて贈り物等の商品を配送するといったサービスを店舗に負担をかけることなく提供することができる。
【０００９】
【発明の実施の形態】
以下、本発明に係る画像付きメッセージ作成システムの実施の形態について、図面を参照して詳細に説明する。
【００１０】
図１は、本発明の一実施形態に係る画像付きメッセージ作成システムを示す構成図である。同図において、本実施形態の画像付きメッセージ作成システムは、ユーザ端末１０１と、メッセージカード作成サーバ１０３と、画像データベース（以下「画像ＤＢ」という。）１０５と、店舗端末１０７と、プリンタ１０９と、ネットワーク１１１とを備えて構成されている。
【００１１】
以下、本実施形態の画像付きメッセージ作成システムが有する各構成要素について説明する。
まず、ユーザ端末１０１について説明する。ユーザ端末１０１は、当該システムを利用するユーザが有するネットワーク１１１に接続されたパーソナルコンピュータ等の通信端末である。ユーザは、ユーザ端末１０１を用いて、ネット販売を提供する所定のサイトで贈り物を特定し、当該贈り物を所望の贈り先に配送するようオーダーする。このとき、ユーザ端末１０１からは送り先等を含むオーダー情報が前記所定のサイトに送信される。
【００１２】
また、ユーザが、オーダーした贈り物に画像付きメッセージカードの添付を望むとき、ユーザはユーザ端末１０１を用いてメッセージを入力し、ユーザ端末１０１に記憶されている画像を選択する。ユーザ端末１０１からは、ユーザによって入力されたメッセージおよび選択された画像のデータがネットワーク１１１を介してメッセージカード作成サーバ１０３に送信される。なお、メッセージカードの種別が選択された場合には、選択されたカードの識別情報等も送信される。
【００１３】
次に、店舗端末１０７について説明する。店舗端末１０７は、当該システムを利用する店舗に設置され、ネットワーク１１１に接続されたパーソナルコンピュータ等の通信端末である。店舗端末１０７は、ネットワーク１１１を介してメッセージカード作成サーバ１０３から送られたメッセージカードのデータを受信する。また、店舗端末１０７にはプリンタ１０９が接続されているため、店員等は店舗端末１０７を操作してメッセージカード作成サーバ１０３から送られたメッセージカードをプリントアウトすることができる。
【００１４】
次に、メッセージカード作成サーバ１０３について説明する。メッセージカード作成サーバ１０３は、ユーザ端末１０１から送信されたメッセージおよび画像からメッセージカードを作成するものである。但し、ユーザによってメッセージカードの種類が指定されたときは、当該指定されたメッセージカードのテンプレートを用いて作成する。また、本実施形態のメッセージカード作成サーバ１０３が作成するメッセージカードは実際の紙などではなく、カードに印刷される画像データである。以下、メッセージカード作成サーバ１０３によって作成された画像データとしてのメッセージカードのデータを「メッセージカードデータ」という。
【００１５】
メッセージカード作成サーバ１０３には、ユーザ端末１０１から送られた画像データを記憶するための画像ＤＢ１０５が接続されている。したがって、メッセージカードに利用可能な画像が画像ＤＢ１０５に予め記憶されているのであれば、ユーザは、メッセージカードに利用する画像を当該画像ＤＢ１０５に記憶されている画像の中から選択しても良い。例えば、ユーザの全身像または顔の画像を予め画像ＤＢ１０５に登録しておけば、繰り返しこれらを活用することができる。
【００１６】
また、ネット販売を提供する所定のサイトのサーバは、贈り物が特定されると当該贈り物の写真データをメッセージカード作成サーバ１０３に送信する。したがって、メッセージカード作成サーバ１０３は、贈り物の画像とユーザの全体像または顔の画像とを合成してメッセージカードを作成することができる。図２に、作成されたメッセージカードの一例を示す。
【００１７】
なお、前記サイトからメッセージカード作成サーバ１０３に送信される写真データは贈り物の見本の写真データであるため、ビールやハム等には利用することができるが、贈り物毎に見た目が異なる花束では見本の写真が実際とは異なるため、この点に不満を持つユーザもいよう。したがって、このような場合には、店舗（花屋）側で実際の花束を撮影し、その画像データをメッセージカード作成サーバ１０３に送った後、メッセージカード作成サーバ１０３がメッセージカードを作成するといった手順を踏めば良い。こうすることによって、実際の贈り物の画像をメッセージカードに活用することができる。
【００１８】
上述のメッセージカード作成サーバ１０３で作成され、店舗端末１０７に接続されたプリンタからプリントアウトされたメッセージカードは、贈り物と共に店舗から贈り先に配送される。
【００１９】
以上説明したように、本実施形態の画像付きメッセージ作成システムによれば、ユーザがメッセージカード作成サーバ１０３にメッセージと画像を送信すれば、メッセージおよび画像と贈り物の写真とが合成されたメッセージカードが作成された後、当該メッセージカードのデータが店舗端末１０７に送信されるため、店舗側はこれをプリントアウトして贈り物に添えて配送するだけで良い。したがって、店舗側でメッセージカードを作成する必要がないため、画像付きメッセージを添えて贈り物を配送するといったサービスを店舗に負担をかけることなく提供することができる。
【００２０】
また、メッセージカード作成サーバ１０３が作成するメッセージカードには実際の贈り物の写真を合成することができるため、例えば贈り物が花束であれば時間の経過と共に枯れてしまうが、画像であれば劣化することがないため、いつまでも思い出として保存しておくことができる。
【００２１】
【発明の効果】
以上説明したように、本発明に係る画像付きメッセージ作成システムによれば、店舗にあまり負担をかけずに画像付きのメッセージカードを作成することができる。
【図面の簡単な説明】
【図１】本発明の一実施形態に係る画像付きメッセージ作成システムを示す構成図
【図２】本実施形態のメッセージカードの一例を示す説明図
【符号の説明】
１０１　ユーザ端末
１０３　メッセージカード作成サーバ
１０５　画像データベース（画像ＤＢ）
１０７　店舗端末
１０９　プリンタ
１１１　ネットワーク
【図１】
2004038303.tif 000003
【図２】
2004038303.tif 000004